(57)【要約】【課題】  格子部材の開閉を行う電動面格子を、高齢者でも確実に駆動できる駆動装置を提供することを目的とする。【解決手段】  面格子周枠体を、一方の対向する枠体をガイドレールで、他方の対向する枠体を固定枠で形成し、ガイドレールに連結された格子部材を摺動自在に設け、ガイドレールには長さ方向にラックを設け、格子部材の外端の面格子フレームには電動機構を収納し、電動機構の駆動軸の端部のピニオンをガイドレールの長さ方向に設けたラックと噛み合わせて格子部材を開閉可能とした電動面格子において、固定枠に突設したロック爪を対向する面格子フレームにロック爪のロック機構を設け、駆動軸の回転に伴って前記ロック機構のロックを解除するロック解除機構を面格子フレームに設けた電動面格子の駆動装置とした。【選択図】  図５
2006090054.tif 000002
【特許請求の範囲】
【請求項１】
面格子周枠体を、一方の対向する枠体をガイドレールで、他方の対向する枠体を固定枠で形成し、ガイドレールに連結された格子部材を摺動自在に設け、ガイドレールには長さ方向にラックを設け、格子部材の外端の面格子フレームには電動機構を収納し、電動機構の駆動軸の端部のピニオンをガイドレールの長さ方向に設けたラックと噛み合わせて格子部材を開閉可能とした電動面格子において、固定枠に突設したロック爪を対向する面格子フレームにロック爪のロック機構を設け、駆動軸の回転に伴って前記ロック機構のロックを解除するロック解除機構を面格子フレームに設けた電動面格子の駆動装置。
【発明の詳細な説明】
【技術分野】
【０００１】
本発明は、電動面格子の駆動装置に関するものである。
【背景技術】
【０００２】
従来、窓などの建物の開口部外側には、不法侵入者の侵入を阻む防犯を主目的として面格子が取付けられている。このため、面格子は外部から不法侵入者に取り外せないように面格子周枠材が枠体に固定されて建屋に取付けられている。しかし、このような面格子の構造では、火事などの緊急時に、面格子の取付けられた窓などから脱出することはできない。
【０００３】
面格子の各格子部材を横方向にずらして移動させ（格子部材を開いて）、出口を設けて脱出可能とし、平時は外部から不法侵入者などが格子部材を横にずらすことのできない面格子の構造は既に提案されている。
【０００４】
しかし、面格子の各格子部材を横方向にずらして移動させて出口を設ける、格子部材の開き、各格子部材で面格子周枠材を覆う、格子部材の閉じ、すなわち、格子部材の開閉を行う電動面格子を、高齢者でも確実に駆動できる駆動装置が存在しない。
【特許文献１】特開２００２−０６１４７０
【発明の開示】
【発明が解決しようとする課題】
【０００５】
格子部材の開閉を行う電動面格子を、高齢者でも確実に駆動できる駆動装置が存在しない。
【課題を解決するための手段】
【０００６】
そこで、本発明は、上記の事情に鑑み、格子部材の開閉を行う電動面格子を、高齢者でも確実に駆動できる駆動装置を提供すべく、面格子周枠体を、一方の対向する枠体をガイドレールで、他方の対向する枠体を固定枠で形成し、ガイドレールに連結された格子部材を摺動自在に設け、ガイドレールには長さ方向にラックを設け、格子部材の外端の面格子フレームには電動機構を収納し、電動機構の駆動軸の端部のピニオンをガイドレールの長さ方向に設けたラックと噛み合わせて格子部材を開閉可能とした電動面格子において、固定枠に突設したロック爪を対向する面格子フレームにロック爪のロック機構を設け、駆動軸の回転に伴って前記ロック機構のロックを解除するロック解除機構を面格子フレームに設けた電動面格子の駆動装置とした。
【発明の効果】
【０００７】
本発明は、面格子周枠体を、一方の対向する枠体をガイドレールで、他方の対向する枠体を固定枠で形成し、ガイドレールに連結された格子部材を摺動自在に設け、ガイドレールには長さ方向にラックを設け、格子部材の外端の面格子フレームには電動機構を収納し、電動機構の駆動軸の端部のピニオンをガイドレールの長さ方向に設けたラックと噛み合わせて格子部材を開閉可能とした電動面格子において、固定枠に突設したロック爪を対向する面格子フレームにロック爪のロック機構を設け、駆動軸の回転に伴って前記ロック機構のロックを解除するロック解除機構を面格子フレームに設けた電動面格子の駆動装置であるので、格子部材の開閉を行う電動面格子を、高齢者でも確実に駆動できる駆動装置を提供できる。
【発明を実施するための最良の形態】
【０００８】
本発明を、添付する図面の具体的実施例の図１〜図７に基づいて以下詳細に説明する。      
【０００９】
本発明は、面格子周枠体を、一方の対向する枠体をガイドレールで、他方の対向する枠体を固定枠で形成し、ガイドレールに連結された格子部材を摺動自在に設け、ガイドレールには長さ方向にラックを設け、格子部材の外端の面格子フレームには電動機構を収納し、電動機構の駆動軸の端部のピニオンをガイドレールの長さ方向に設けたラックと噛み合わせて格子部材を開閉可能とした電動面格子において、固定枠に突設したロック爪を対向する面格子フレームにロック爪のロック機構を設け、駆動軸の回転に伴って前記ロック機構のロックを解除するロック解除機構を面格子フレームに設けた電動面格子の駆動装置である。
【００１０】
図１は各格子部材が閉じた状態の正面図、図２は各格子部材が開いた状態の正面図、図３はガイドレールの斜視図、図４は駆動軸のピニオンがガイドレールに設けたラックと噛み合った状態を示す斜視図、図５はロック爪のロック機構、ロック解除機構を説明する正面図、図６は図５の底面図、図７はロック爪のロック機構、ロック解除機構を説明する斜視図である。
【００１１】
図１で、符号１は窓などの建物の開口部外側に設けた面格子である。
【００１２】
この面格子１の面格子周枠体２は、図２に示すように、一方の対向する枠体をガイドレール３で、他方の対向する枠体を固定枠４でそれぞれ形成する。
【００１３】
チェーン（図示せず）などで連結した格子部材５は、ガイドレール３に摺動自在に設ける。
【００１４】
ガイドレール３の表面側の長さ方向にラック６を固着する。
【００１５】
格子部材５の外端に面格子フレーム７を固着し、この面格子フレーム７内には電動機構８を収納し、この電動機構８の駆動軸の端部にピニオン９を固着し、このピニオン９を前記ラック６と噛み合わせる。
【００１６】
ガイドレール３と格子部材５との連結は、図３に示すように、ガイドレール３の溝１０に嵌まり、ガイドレール３のレール１１上にローラ１２を載置して摺動するスライダー１３に格子部材５を取付けて行う。
【００１７】
電動機構８の駆動軸１４の端部には、図４に示すように、ピニオン９1 ・９2 を設け、ピニオン９2 を前記ガイドレール３のラック６と噛み合わせ、駆動軸１４を駆動してピニオン９1 ・９2 を回転させ、ラック６上を移動して格子部材５の開閉を行う。
【００１８】
次に、本発明のロック機構、ロック解除機構について説明する。
【００１９】
まず、解錠状態について説明する。
【００２０】
固定枠４には、図５に示すように、ロック爪１５を突設する。
【００２１】
面格子フレーム７には前記ロック爪１５に対向する箇所にガイド１６を設けて、そのガイド１６にロック片１７を摺動自在に設ける。このロック片１７には前記ロック爪１５を受け入れ、ロックするロック孔１８を開設する。図５で実線で図示の状態は解錠状態である。この解錠状態のロック片１７のロック孔１８の上端１９、下端２０は図示の位置である。この場合、ロック爪１５はロック片１７と係合しておらず解錠状態である。この解錠状態は、ソレノイドバルブ２１が作動してその軸３２が収縮して上方へ軸２２が移動してロック片１７をストッパー２３で図示の状態に維持している。解錠状態はソレノイドバルブ２１が作動して軸３２を上方へ移動させたときである。なお、ストッパー２３の基端は面格子フレーム７に起立させた枢軸２４に枢着され、ストッパー２３の中間部に軸２２の先端にピン２５により結合され、ストッパー２３の先端でロック片１７を支持させている。
【００２２】
次に、解放について説明する。
【００２３】
駆動軸１４はストッパー２３により動作制限されている。駆動軸１４のストッパー２３からの開放は次のようにして行う。
【００２４】
図５、図６に示すように、  ブラケット２５をストッパー２３および駆動軸１４の近傍の面格子フレーム７に固着し、ブラケット２５に制御板２６を支持軸２７の回りに回動自在に設け、この制御板２６を上方へ向けて付勢するひげバネ２８を支持軸２７に設ける。      
【００２５】
制御板２６の先端がストッパー２３に係合し、制御板２６先端上面に受け板２９を水平状に固着し、駆動軸１４には前記受け板２９と衝合するピン３０を突設する。
【００２６】
駆動軸１４をＡ方向に駆動すると、駆動軸１４がＡ方向に回転し、駆動軸１４のピン３０が制御板２６の受け板２９に衝合してひげバネ２８の付勢力に抗して押し下げ、制御板２６を支持軸２７の回りに下方に向けて回動させ、制御板２６によりストッパー２３も下方に押し下げられて、ストッパー２３先端部はロック片１７との係合が外れ、駆動軸１４は解放される。
【００２７】
さらに、開閉について説明する。
【００２８】
施錠が解錠され、駆動軸１４が解放されると、駆動軸１４を駆動して格子部材５の開閉が自由にできる。
【００２９】
施錠は、図５の状態で、ソレノイドバルブ２１を作動させて軸３２を伸長させ、二点鎖線の状態として行う。
【００３０】
ストッパー２３が二点鎖線の状態になる。するとロック片１７のロック孔１８の状態１９’、下端２０’は図示の位置となって施錠される。
【００３１】
図７は、駆動軸を除いた要部の斜視図で、格子部材５のロックを上下２箇所で行えばよりロックが確実で、ロック片１７にワイヤー３１を連結しておいて、電動機構８が作動しない場合、屋内側から格子部材の解放ができるようにしておく。
【００３２】
開閉直前には安全のため、減速させ、指を挟んだ時は電流が多く流れるので、それを検知して安全装置を作動させる。
【００３３】
本発明の電動面格子にはリモコン操作が可能で、本発明の電動面格子の電源は、電池、ＡＣ電源あるいは手動でも操作できる。
【００３４】
なお、上述の面格子を上下を左右にして使用することもできる。
【産業上の利用可能性】
【００３５】
本発明の電動面格子の駆動装置は、手動の面格子の駆動装置として用いることができる。
【図面の簡単な説明】
【００３６】
【図１】本発明の各格子部材が閉じた状態の正面図である。
【図２】本発明の各格子部材が開いた状態の正面図である。
【図３】本発明のガイドレールの斜視図である。
【図４】本発明の駆動軸のピニオンがガイドレールに設けたラックと噛み合った状態を示す斜視図である。
【図５】本発明のロック爪のロック機構、ロック解除機構を説明する正面図である。
【図６】本発明の図５の底面図である。
【図７】本発明のロック爪のロック機構、ロック解除機構を説明する斜視図である。
【符号の説明】
【００３７】
２…面格子周枠体
３…ガイドレール
４…固定枠
６…ラック
７…面格子フレーム
８…電動機構
９…ピニオン
５…格子部材
１５…ロック爪
【図１】
2006090054.tif 000003
【図２】
2006090054.tif 000004
【図３】
2006090054.tif 000005
【図４】
2006090054.tif 000006
【図５】
2006090054.tif 000007
【図６】
2006090054.tif 000008
【図７】
2006090054.tif 000009